【手続補正書】
【提出日】平成18年8月1日(2006.8.1)
【手続補正１】
【補正対象書類名】特許請求の範囲
【補正対象項目名】全文
【補正方法】変更
【補正の内容】
【特許請求の範囲】
【請求項１】
逆方向リンクの最大データレートを推定するための方法であって、
データのソースにおいて、その上にデータが送信されるべきリンクに関する品質メトリックを決定し、
前記品質メトリックを品質メトリックマージンだけ修正し、そして
前記修正された品質メトリックに従ってデータの最大レートを決定する
ことを含む方法。
【請求項２】
さらに前記品質メトリックを予測器によって処理することを含む請求項１記載の方法。
【請求項３】
予測器により前記品質メトリックを前記処理することは、
前記品質メトリックを線形濾波器によって濾波することを含む請求項２記載の方法。
【請求項４】
予測器により前記品質メトリックを前記処理することは、
前記品質メトリックを非線形濾波器によって濾波することを含む請求項２記載の方法。
【請求項５】
前記非線形濾波器により前記品質メトリックを前記濾波することは、
前記品質メトリックをピーク濾波器によって濾波することを含む請求項４記載の方法。
【請求項６】
その上にデータが送信されるべきリンクに関する品質メトリックの、データのソースにおける前記決定は、
データのソースにおいて少なくとも１個の信号を受信し、そして
受信された少なくとも１個の信号に従って前記品質メトリックを決定する
ことを含む請求項１記載の方法。
【請求項７】
その上にデータが送信されるべきリンクに関する品質メトリックの、データのソースにおける前記決定は、
データのソースにおいて少なくとも１個の第１の参照信号を受信し、そして
受信された少なくとも１個の第１の参照信号および少なくとも１個の第１の参照信号に従って前記品質メトリックを決定する
ことを含む請求項１記載の方法。
【請求項８】
その上にデータが送信されるべきリンクに関する品質メトリックの、データのソースにおける前記決定は、
データのソースにおいて帰還信号を受信し、そして
受信された帰還信号に従って品質メトリックを決定する
ことを含む請求項１記載の方法。
【請求項９】
その上にデータが送信されるべきリンクに関する品質メトリックの、データのソースにおける前記決定は、
データのソースにおいて少なくとも１個の信号を受信し、
データのソースにおいて帰還信号を受信し、そして
受信された少なくとも１個の信号および受信された帰還信号に従って、前記品質メトリックを決定する
ことを含む請求項１記載の方法。
【請求項１０】
その上にデータが送信されるべきリンクに関する品質メトリックの、データのソースにおける前記決定は、
データのソースにおいて参照信号を受信し、
データのソースにおいて帰還信号を受信し、そして
参照信号、受信された参照信号、および受信された帰還信号に従って品質メトリックを決定する
ことを含む請求項１記載の方法。
【請求項１１】
品質メトリックマージンだけ品質メトリックを前記修正することは、
あらかじめ設定された品質メトリックマージンだけ品質メトリックを修正することを含む請求項１記載の方法。
【請求項１２】
品質メトリックマージンだけ前記品質メトリックを前記修正することは、
第２の参照信号の伝送に対して必要とされる電力が、さきに修正された品質メトリックから決定された第２の参照信号の伝送に対して必要とされる電力を超える場合は、停止事象を宣言し、
あらかじめ設定された間隔の期間中に停止事象の発生を検出し、そして
前記検出に従って前記品質メトリックを修正する
ことを含む請求項１記載の方法。
【請求項１３】
前記検出に従って前記品質メトリックを前記修正することは、
あらかじめ設定された停止事象の数があらかじめ設定された間隔の期間中に発生した場合は、現在の品質メトリックマージンを第１の量だけ増加し、そして
前記増加された品質メトリックマージンだけ前記品質メトリックを修正する
ことを含む請求項１２記載の方法。
【請求項１４】
さらに、あらかじめ設定された停止事象の数が、あらかじめ設定された間隔の期間中に発生しなかった場合は、現在の品質メトリックマージンを第２の量だけ減少し、そして
前記減少された品質メトリックマージンだけ前記品質メトリックを修正する
ことを含む請求項１３記載の方法。
【請求項１５】
品質メトリックマージンだけ前記品質メトリックを前記修正することは、
推定されたデータのレートにおけるデータの伝送に対して必要とされる電力が、最大許容可能な伝送電力を超える場合は停止事象を宣言し、
あらかじめ設定された間隔の期間中に停止事象の発生を検出し、そして
前記検出に従って前記品質メトリックを修正する
ことを含む請求項１記載の方法。
【請求項１６】
前記検出に従い前記品質メトリックを前記修正することは、
あらかじめ設定された停止の数があらかじめ設定された間隔の期間中に発生した場合は、現在の品質メトリックマージンを第１の量だけ増加し、そして
前記増加された品質メトリックマージンだけ前記品質メトリックを修正する
ことを含む請求項１５記載の方法。
【請求項１７】
さらに、あらかじめ設定された停止の数があらかじめ設定された間隔の期間中に発生しなかった場合は、現在の品質メトリックマージンを第２の量だけ減少させ、そして
前記減少された品質メトリックマージンだけ前記品質メトリックを修正する
ことを含む請求項１６記載の方法。
【請求項１８】
あらかじめ設定された停止の数があらかじめ設定された間隔の期間中に発生した場合に、第１の量だけ現在の品質メトリックマージンを前記増加することは、
推定されたデータのレートが、データの最大許容可能なレートに変化しているか否かを決定し、
品質メトリック下側限界を品質メトリックの現在の値に設定し、そして
あらかじめ設定された停止の数があらかじめ設定された間隔の期間中に発生した場合は、第１の値だけ品質メトリックを増加する
ことを含む請求項１６記載の方法。
【請求項１９】
さらに、前記結果としての減少された電力マージンが、電力マージンの下側限界よりも大きい場合は、第２の値だけ電力マージンを減少し、そして
そうでない場合は、電力マージンを電力マージンの下側限界に等しく設定する
ことを含む請求項１８記載の方法。
【請求項２０】
あらかじめ設定された停止の数があらかじめ設定された間隔の期間中に発生しなかった場合に、第２の量だけ現在の品質メトリックマージンを前記減少することは、
推定されたデータのレートがデータの最小許容可能なレートに変化しているか否かを決定し、
品質メトリック上側限界を品質メトリックの現在の値に設定し、そして
あらかじめ設定された停止の数があらかじめ設定された間隔の期間中に発生した場合は、第２の値だけ品質メトリックを減少する
ことを含む請求項１６記載の方法。
【請求項２１】
さらに、もし前記結果としての増加された電力マージンが電力マージンの下側限界よりもより小さい場合は、第１の値だけ電力マージンを増加し、そして
そうでない場合は電力マージンを電力マージンの下側限界に等しく設定する
ことを含む請求項２０記載の方法。
【請求項２２】
あらかじめ設定された停止の数があらかじめ設定された間隔の期間中に発生した場合の、現在の品質メトリックマージンの第１の量による前記増加は、
推定されたデータのレートがデータの最大許容可能なレートに等しいか否かを決定し、そして
あらかじめ設定された供給停止の数があらかじめ設定された間隔の期間中に発生した場合は、第１の値だけ品質メトリックを増加する
ことを含む請求項１６記載の方法。
【請求項２３】
さらに、あらかじめ設定された停止の数があらかじめ設定された間隔の期間中に発生しなかった場合は、電力マージンを変更しないことを含む請求項２２記載の方法。
【請求項２４】
あらかじめ設定された停止の数があらかじめ設定された間隔の期間中に発生しなかった場合に、第２の量だけ現在の品質メトリックマージンを前記減少することは、
推定されたデータのレートがデータの最小許容可能なレートに等しいか否かを決定し、そして
あらかじめ設定された停止の数があらかじめ設定された間隔の期間中に発生しなかった場合は、第２の値だけ品質メトリックを減少する
ことを含む請求項１６記載の方法。
【請求項２５】
さらに、あらかじめ設定された停止の数があらかじめ設定された間隔の期間中に発生した場合は、電力マージンを変化しないで残すことを含む請求項２０記載の方法。
【請求項２６】
修正された品質メトリックに従いデータの最大レートを前記決定することは、
修正された品質メトリックに従って伝送電力を決定し、そして
それの前記決定された伝送電力が最大許容可能な伝送電力を超えないデータレートを選択する
ことを含む請求項１記載の方法。
【請求項２７】
さらに参照信号の伝送に対して必要とされる電力が修正された品質メトリックから決定された参照信号の伝送に対して必要とされる電力を超える場合には、停止事象を宣言することを含む請求項１の方法。
【請求項２８】
さらに前記修正された品質メトリックおよびデータレートに従ってデータの伝送に必要とされる電力を決定することを含む請求項１の方法。
【請求項２９】
逆方向リンク最大データレートを推定するための装置であって、
データのソースにおいて、その上にデータが送信されるべきリンクに関する品質メトリックを決定するための手段と、
前記品質メトリックを品質メトリックマージンだけ修正するための手段と、
前記修正された品質メトリックに従ってデータの最大レートを決定するための手段と
を含む装置。
【請求項３０】
さらに前記品質メトリックを予測器によって処理するための手段を含む請求項２９記載の装置。
【請求項３１】
前記品質メトリックを予測器によって処理するための前記手段は、前記品質メトリックを線形濾波器によって濾波するための手段を含む請求項３０記載の装置。
【請求項３２】
前記品質メトリックを予測器によって処理するための前記手段は、前記品質メトリックを非線形濾波器によって濾波するための手段を含む請求項３０記載の装置。
【請求項３３】
前記品質メトリックを非線形濾波器によって濾波するための前記手段は、前記品質メトリックをピーク濾波器によって濾波するための手段を含む請求項３２記載の装置。
【請求項３４】
データのソースにおいて、その上にデータが送信されるべきリンクに関する品質メトリックを決定するための前記手段は、
データのソースにおいて、少なくとも１個の信号を受信するための手段と、そして
受信された少なくとも１個の信号に従って前記品質メトリックを決定するための手段と
を含む請求項２９記載の装置。
【請求項３５】
データのソースにおいて、その上にデータが送信されるべきリンクに関する品質メトリックを決定するための前記手段は、
データのソースにおいて、少なくとも１個の第１の参照信号を受信するための手段と、そして
受信された少なくとも１個の第１の参照信号および少なくとも１個の第１の参照信号に従って前記品質メトリックを決定するための手段と
を含む請求項２９記載の装置。
【請求項３６】
データのソースにおいて、その上にデータが送信されるべきリンクに関する品質メトリックを決定するための前記手段は、
データのソースにおいて、帰還信号を受信するための手段と、そして
受信された帰還信号に従って品質メトリックを決定するための手段と
を含む請求項２９記載の装置。
【請求項３７】
データのソースにおいて、その上にデータが送信されるべきリンクに関する品質メトリックを決定するための前記手段は、
データのソースにおいて、少なくとも１個の信号を受信するための手段と、
データのソースにおいて、帰還信号を受信するための手段と、そして
受信された少なくとも１個の信号および受信された帰還信号に従って前記品質メトリックを決定するための手段と
を含む請求項２９記載の装置。
【請求項３８】
データのソースにおいて、その上にデータが送信されるべきリンクに関する品質メトリックを決定するための前記手段は、
データのソースにおいて、第１の参照信号を受信するための手段と、
データのソースにおいて、帰還信号を受信するための手段と、そして
第１の参照信号、受信された第１の参照信号、および受信された帰還信号に従って品質メトリックを決定するための手段と
を含む請求項２９記載の装置。
【請求項３９】
品質メトリックを品質メトリックマージンだけ修正するための前記手段は、あらかじめ設定された品質メトリックマージンだけ品質メトリックを修正するための手段を含む請求項２９記載の装置。
【請求項４０】
前記品質メトリックを品質メトリックマージンだけ修正するための前記手段は、
第２の参照信号の伝送に対して必要とされる電力が、さきに修正された品質メトリックから決定された第２の参照信号の伝送に対して必要とされる電力を超える場合に、停止事象を宣言するための手段と、
あらかじめ設定された間隔の期間中に停止事象の発生を検出するための手段と、そして
前記検出に従って前記品質メトリックを修正するための手段と
を含む請求項２９記載の装置。
【請求項４１】
前記検出に従って前記品質メトリックを修正するための前記手段は、
あらかじめ設定された停止事象の数があらかじめ設定された間隔の期間中に発生した場合、現在の品質メトリックマージンを第１の量だけ増加するための手段と、
前記増加された品質メトリックマージンだけ前記品質メトリックを修正するための手段と
を含む請求項４０記載の装置。
【請求項４２】
さらに、あらかじめ設定された停止事象の数があらかじめ設定された間隔の期間中に発生しなかった場合、現在の品質メトリックマージンを第２の量だけ減少するための手段と、そして
前記品質メトリックを前記減少された品質メトリックマージンだけ修正するための手段と
を含む請求項４１記載の装置。
【請求項４３】
前記品質メトリックを品質メトリックマージンだけ修正するための前記手段は、
データの推定されたレートにおける、データの伝送に対して必要とされる電力が最大許容可能な伝送電力を超える場合は、停止事象を宣言するための手段と、
あらかじめ設定された間隔の期間中に停止事象の発生を検出するための手段と、そして
前記検出に従って前記品質メトリックを修正するための手段と
を含む請求項２９記載の装置。
【請求項４４】
前記検出に従って前記品質メトリックを修正するための前記手段は、
あらかじめ設定された停止の数が、あらかじめ設定された間隔の期間中に生じた場合は、現在の品質メトリックマージンを第１の量だけ増加するための手段と、そして
前記品質メトリックを前記増加された品質メトリックマージンだけ修正するための手段と
を含む請求項４３記載の装置。
【請求項４５】
さらに、あらかじめ設定された停止の数があらかじめ設定された間隔の期間中に発生しなかった場合、現在の品質メトリックマージンを第２の量だけ減少するための手段と、そして
前記品質メトリックを前記減少された品質メトリックマージンだけ修正するための手段と
を含む請求項４４記載の装置。
【請求項４６】
あらかじめ設定された停止の数があらかじめ設定された間隔の期間中に発生しなかった場合、現在の品質メトリックマージンを第２の量だけ減少させるための前記手段は、
推定されたデータのレートが、データの最小許容可能なレートに変化しているか否かを決定するための手段と、
品質メトリック上側限界を品質メトリックの現在の値に設定するための手段と、
あらかじめ設定された停止の数が、あらかじめ設定された間隔の期間中に発生した場合は、品質メトリックを第２の値だけ減少するための手段と
を含む請求項４５記載の装置。
【請求項４７】
さらに、もし前記結果として増加された電力マージンが電力マージンの下側限界よりもより小さい場合は、電力マージンを第１の値だけ増加するための手段と、そして
そうでない場合は、電力マージンを電力マージンの下側限界に等しく設定するための手段と
を含む請求項４６記載の装置。
【請求項４８】
あらかじめ設定された停止の数が、あらかじめ設定された間隔の期間中に発生した場合、現在の品質メトリックマージンを第１の量だけ増加するための前記手段は、
推定されたデータのレートがデータの最大許容可能なレートに変化しているか否かを決定するための手段と、
品質メトリックの下側限界を品質メトリックの現在の値に設定するための手段と、そして
あらかじめ設定された停止の数が、あらかじめ設定された間隔の期間中に発生した場合は、品質メトリックを第１の値だけ増加するための手段と
を含む請求項４４記載の装置。
【請求項４９】
さらに、もし前記結果として減少された電力マージンが電力マージンの下側限界よりもより大きい場合は、電力マージンを第２の値だけ減少するための手段と、
そうでない場合は、電力マージンを電力マージンの下側限界に等しく設定するための手段と
を含む請求項４８記載の装置。
【請求項５０】
あらかじめ設定された停止の数が、あらかじめ設定された間隔の期間中に発生した場合、現在の品質メトリックマージンを第１の量だけ増加するための前記手段は、
推定されたデータのレートがデータの最大許容可能なレートに等しいか否かを決定するための手段と、そして
あらかじめ設定された停止の数があらかじめ設定された間隔の期間中に発生した場合、品質メトリックを第１の値だけ増加するための手段と
を含む請求項４４記載の装置。
【請求項５１】
さらに、あらかじめ設定された停止の数が、あらかじめ設定された間隔の期間中に発生しなかった場合、電力マージンを変化させずに残すための手段を含む請求項５０記載の装置。
【請求項５２】
あらかじめ設定された停止の数が、あらかじめ設定された間隔の期間中に発生しなかった場合、現在の品質メトリックマージンを第２の量だけ減少するための前記手段は、
データの推定されたレートがデータの最小の許容可能なレートに等しいか否かを決定するための手段と、
あらかじめ設定された停止の数があらかじめ設定された間隔の期間中に発生しなかった場合、品質メトリックを第２の値だけ減少するための手段と
を含む請求項４４記載の装置。
【請求項５３】
さらに、あらかじめ設定された停止の数があらかじめ設定された間隔の期間中に発生した場合、電力マージンを変化させないで残すための手段を含む請求項５２記載の装置。
【請求項５４】
修正された品質メトリックに従ってデータの最大レートを決定するための前記手段は、
修正された品質メトリックに従って伝送電力を決定するための手段と、そして
その前記決定された伝送電力が最大の許容可能な伝送電力を超えないデータレートを選択するための手段と
を含む請求項２９記載の装置。
【請求項５５】
さらに、参照信号の伝送に対して必要とされる電力が、修正された品質メトリックから決定された参照信号の伝送に対して必要とされる電力を超える場合に、停止事象を宣言するための手段を含む請求項２９記載の装置。
【請求項５６】
さらに、データの最大レートにおけるデータの伝送に対して必要とされる電力が、最大許容伝送電力を超える場合に、停止事象を宣言するための手段を含む請求項２９記載の装置。
【請求項５７】
さらに、前記修正された品質メトリックおよびデータのレートに従う、データの伝送のために必要とされる電力を決定する手段を含む請求項２９記載の装置。
【請求項５８】
逆方向リンクの最大データレートを推定するための装置であって、
データのソースにおいて、その上にデータが送信されるべきリンクに関する品質メトリックを決定するように形成された推定器と、
品質メトリックを品質メトリックマージンだけ修正するように形成された前記推定器と通信するように結合された結合器と、そして
修正された品質メトリックに従ってデータの最大レートを決定するように形成された前記結合器と通信するように結合された処理ブロックと
を含む装置。
【請求項５９】
前記推定器は予測器を含む請求項５８記載の装置。
【請求項６０】
前記予測器は線形濾波器を含む請求項５９記載の装置。
【請求項６１】
前記予測器は非線形濾波器を含む請求項５９記載の装置。
【請求項６２】
前記非線形濾波器はピーク濾波器を含む請求項６１記載の装置。
【請求項６３】
前記推定器は開ループ推定器を含む請求項５８記載の装置。
【請求項６４】
前記推定器は閉ループ推定器を含む請求項５８記載の装置。
【請求項６５】
前記推定器は、
開ループ推定器と、
閉ループ推定器と、そして
前記開ループ推定器および開ループ推定器と通信するように結合された結合器と
を含む請求項５８記載の装置。
【請求項６６】
さらに、前記結合器と通信するように結合された停止事象検出器を含む請求項５８記載の装置。
【請求項６７】
データの伝送に対して必要とされる電力を推定するための装置であって、
データのソースにおいて、その上にデータが送信されるべきリンクに関する品質メトリックを決定するよう形成された推定器と、
品質メトリックを品質メトリックマージンだけ修正するよう形成された前記推定器と通信するように結合された結合器と、そして
前記修正された品質メトリックおよびデータのレートに従って、データの伝送に対して必要とされる電力を決定するよう形成された前記結合器と通信するように結合された処理ブロックと
を含む装置。
【請求項６８】
前記推定器は予測器を含む請求項６７記載の装置。
【請求項６９】
前記予測器は線形濾波器を含む請求項６８記載の装置。
【請求項７０】
前記予測器は非線形濾波器を含む請求項６８記載の装置。
【請求項７１】
前記非線形濾波器はピーク濾波器を含む請求項７０記載の装置。
【請求項７２】
前記推定器は開ループ推定器を含む請求項６７記載の装置。
【請求項７３】
前記推定器は閉ループ推定器を含む請求項６７記載の装置。
【請求項７４】
前記の推定器は
開ループ推定器と、
閉ループ推定器と、そして
前記開ループ推定器および開ループ推定器と通信するように結合された結合器と
を含む請求項６７記載の装置。
【請求項７５】
さらに、前記結合器と通信するように結合された停止事象検出器を含む請求項６７記載の装置。
【手続補正２】
【補正対象書類名】明細書
【補正対象項目名】００２９
【補正方法】変更
【補正の内容】
【００２９】
各タイムスロットにおいてＡＰは、ページングメッセージを受信したＡＴの何れに対してもデータ伝送を計画することが可能である。伝送を計画するための典型的な方法は、“通信システムにおいて資源を割り当てるためのシステム”と題された、本発明の譲受人に譲渡された、米国特許６，２２９，７９５の中に記述されている。ＡＰは各ＡＴから受信されたＤＲＣメッセージ内のレート制御情報を、順方向リンクデータを最高の可能なレートで効率的に送信するために使用する。一つの実施例においては、ＡＰはＡＴ１０４から受信したＤＲＣメッセージの最近の値に基づいて，ＡＴ１０４に対するデータを送信するデータレートを決定する。さらにＡＰは、その移動局に対して独自の拡散符号を使用することによって、ＡＴ１０４に対する伝送を独自に識別する。典型的な実施例においては、この拡散符号は、ＩＳ‐８５６標準によって定義される長い擬似雑音（ＰＮ：pseudo noise）符号である。
【手続補正３】
【補正対象書類名】明細書
【補正対象項目名】００４１
【補正方法】変更
【補正の内容】
【００４１】
最大認容可能なデータレート推定
図６は、逆方向リンクデータの最大認容可能なレート推定に関する概念的配列を示す。開ループはブロック６０２内において逆方向リンク品質メトリックの推定値を発生する。一つの実施例においては品質メトリックは経路損失である。推定された経路損失はそこで他の要素たとえば基地局負荷に従って、必要とされる送信電力TxOpenLoopPwrに換算される。一つの実施例においては、TxOpenLoopPwrは図４に従って推定される。TxOpenLoopPwrは将来のいつかにおけるTxOpenLoopPwrの値を予測することが可能なブロック６０４に与えられる。ブロック６０４の予測される出力は、TxOpenLoopPerdを示す。一つの実施例においてはブロック６０４は恒等式であり、したがって、TxOpenLoopPwrはブロック６０４により影響されない。その結果、TxOpenLoopPred＝ TxOpenLoopPwrである。ブロック６０４の他の実施例は、図７に示される。
【手続補正４】
【補正対象書類名】明細書
【補正対象項目名】００４９
【補正方法】変更
【補正の内容】
【００４９】
TxPwrMrg動的調整
論じたように、逆方向リンクチャネルは、ＡＴからアクセスネットワークに送信された物理レイヤチャネルを含む。図９は、典型的な逆方向リンク波形９００を示す。教育的理由のために、波形９００は、ＩＳ‐８５６標準に従って、上に挙げたシステムの逆方向リンク波形の後にモデル化される。しかしながら当業界において普通に熟練した人は、教えは異なった波形に対しても適用可能であることを理解するであろう。逆方向リンクチャネル９００はフレーム９０２に関して定義される。１個のフレーム９０２は１６個のタイムスロット９０４（ｎ）を含む構造であり、各タイムスロット９０４（ｎ）はタイムスロット期間１．６６ミリ秒、そして従ってフレーム期間２６．６６ミリ秒に対応する２０４８チップの長さである。
【手続補正５】
【補正対象書類名】明細書
【補正対象項目名】００５２
【補正方法】変更
【補正の内容】
【００５２】
式（６）および（８）は、もしも時刻ｔ０において決定された、rlRatePredictedの値が、次のフレーム９０２（ｍ＋１番目）上にデータを送信するために使用される場合は、そこで逆方向リンクはフレーム９０２（ｍ＋１番目）のｎ番目のスロットの期間中電力制限はされないことを示す。
【手続補正６】
【補正対象書類名】明細書
【補正対象項目名】００５３
【補正方法】変更
【補正の内容】
【００５３】
チャネル条件の変更を軽減するための種々の方法，たとえば誤り訂正、インタ−リービング、および当業界において普通に熟練した人には知られる他の方法に起因して、フレーム内の分離されたスロットの停止はパケット復号誤りの原因とはならず、しかしながら１個のフレーム内における余りに多くのスロットの停止はパケット復号誤りを引き起こすことが発見されてきている。通信システムの設計目標は、スロット停止の確率を制限し，パケット誤りに起因する最小の特性劣化を保証し、一方すべてのチャネル条件の下における逆方向リンクスループットを最大とすることである。式（３）、（４）、（６）および（８）から、増加するTxPwrMarginは停止確率を減らすことが可能であり、一方TxPwrMarginを減らすことは予測される逆方向リンクデータレートを増加する。換言すれば、TxPwrMarginの大きい値は、より低いユーザスループットおよび多分減少された逆方向リンク容量に帰着する、予期される逆方向リンクデータレートに関する控えめな推定を与えるであろう。その結果他の実施例においては、TxPwrMarginの値は、停止確率を必要とされる値に維持するために、変化しているチャネル条件に従って動的に調整される。
【手続補正７】
【補正対象書類名】明細書
【補正対象項目名】００５４
【補正方法】変更
【補正の内容】
【００５４】
一つの実施例において、TxPwrMarginを動的に調整することは、フレーム９０２（ｍ＋１番目）の各スロットに関する停止の発生を評価することを含む。もしもスロット停止が発生する場合は、TxPwrMarginはPwrMarginUpStepだけ増加され、そうでない場合は、 TxPwrMarginはPwrMarginDownStepだけ減少される。一つの実施例においては、PwrMarginUpStep＝０．５ｄＢ、PwrMarginUpStep＝０．０５ｄＢである。TxPwrMarginの値はさらにTxPwrMarginMinおよびTxPwrMarginMaxの間に制限される。一つの実施例においては、TxPwrMarginMin＝０ｄＢ、そしてTxPwrMarginMax＝６ｄＢである。
【手続補正８】
【補正対象書類名】明細書
【補正対象項目名】００５９
【補正方法】変更
【補正の内容】
【００５９】
ラチェットモードに関する他の実施例においては、もしもrlRatePredictedがrlRateMaxAllowableに等しく、そしてスロット停止が発生しない場合は、そこでTxPwrMarginは現在の値から変更されない。もしもスロット停止が発生する場合は、TxPwrMarginは、PwrMarginUpStepだけ増加される。もしもrlRatePredictedがrlRateMinAllowableに等しく、そしてスロット停止が発生する場合は、TxPwrMarginは、現在の値から変更されない。もしもスロット停止が発生しない場合は、TxPwrMarginは、PwrMarginDownStepだけ減少される。
【手続補正９】
【補正対象書類名】明細書
【補正対象項目名】００６２
【補正方法】変更
【補正の内容】
【００６２】
さらに、特定の場合において経路損失がゆっくりと変化する場合は、図６に関して記述された実施例は、ここではブロック１００２、１００６、１００８、１０１０、および１０１２の機能が、ブロック６０２、６０６、６０８、６１０、および６１２の機能と同一である図１０に示されるように、さらに簡素化されることが可能である。当業界において普通に熟練した人は、ブロック１０１２を閉ループブランチに移動することは、式（３）が維持されるゆえに、TxPilotPredUpperBoundの決定を変化させないことを認めるであろう。
【手続補正１０】
【補正対象書類名】明細書
【補正対象項目名】００７０
【補正方法】変更
【補正の内容】
【００７０】
【図１】図１は、ＨＤＲ通信システムに関する概念的線図を示す。
【図２】図２は、典型的な順方向リンク波形を示す。
【図３】図３は、逆方向リンク伝送電力制御を示す。
【図４】図４は、逆方向リンク品質推定器を示す。
【図５】図５は、送信電力制限に対する方法を示す。
【図６】図６は、逆方向リンク最大認容データレート推定の実施例に関する概念的配列を示す。
【図７】図７は、予測器を示す。
【図８】図８は、ピーク濾波器を示す。
【図９】図９は、典型的な逆方向リンク波形を示す。
【図１０】図１０は、逆方向リンク最大認容データレート推定の他の実施例の配列を示す。
【図１１】図１１は、一つの実施例に従った停止事象検出器を示す。